(57)【要約】【課題】  地下式防火水槽又は地下式消火栓ボックスの蓋を開放し又は吸水管を投入した際に生じる空間及び隙間を閉鎖し、消防職員及び消防団員又は一般市民の地下式防火水槽又は地下式消火栓ボックスへの落下を防止する。【解決手段】  地下式の防火水槽又は地下式消火栓ボックスから消火活動に必要な消火用水を吸水する場合、防火水槽等に吸水管を投入した後、分割収納してある２枚の留め金式縦穴落下防止板を防火水槽等の地上枠付近で、吸水管を挟むように接合して留め金具で固定する。【選択図】図１
0003142845.tif 000002
【実用新案登録請求の範囲】
【請求項１】
地下式防火水槽又は地下式消火栓ボックス（以下「防火水槽等」という。）に消火活動のため投入した吸水管に、縦９０ｃｍ、横４５ｃｍ、厚さ１ｃｍのコの字及び反転したコの字形で紅白のゼブラ模様のある平板２枚を、防火水槽等の地上の投入口付近で吸水管を挟むように設置、留め金で結合することで、吸水管投入部分以外の隙間を閉鎖し、消防活動中の消防職員、消防団員（以下「消防職団員」という。）及び一般市民の防火水槽等への落下を防止することを目的とした、留め金式縦穴落下防止板を提供する。
【考案の詳細な説明】
【技術分野】
【０００１】  本考案は、蓋のある防火水槽等に吸水管を投入して使用するにあたり、当該吸水管と開口部の隙間又は開放した防火水槽等の開口部からの落下を防止するため、当該開口部枠の上部に設置して隙間を閉鎖するもので、防火水槽等の他、マンホール及び排水枡等（以下「マンホール等」という。）の蓋類のカバー、保護シート又は覆工板工法の応用に関する。
【背景技術】
【０００２】  マンホール等の蓋類のカバー、保護シート又は覆工板による工法は、マンホール等の蓋類自体の保護を目的として、また、覆工板による工法は、道路等の地下で行う工作物に係る工事で、当該地下工事の上部道路面に重機を使用してコンクリート又は鉄板で作られた覆工板を設置することで、道路等を使用しながら地下工作物等の工事を実施する大規模な工事のための技術であるのに対し、本考案の技術背景が、防火水槽等の蓋を開放した際の落下防止にあることから、携帯が可能であり、しかも小型、軽量、更には、成年男性１名の体重を支える強度があり、取り扱いが容易な落下防止板が必要になった。【０００３】  最近では、防火水槽等への落下を防止する対策として、防火水槽等の縦穴部分に鉄製の井形状の枠を設けて落下を防止しているものあるが、既存の防火水槽等では、その井形状の枠を設けているものがなく、落下危険が依然高い状態が続いている防火水槽等が多数存在している。【０００４】  消防職団員が使用する防火水槽等は、本来、消防職団員が蓋を開放して使用するが、その際、水深約３メートルの水槽に一般市民が落下死亡する事故が発生したことに伴い、消防職団員を含めた真の安全対策を考案する者がいなかった。【０００５】  留め金式縦穴落下防止板は製作費も安く、小型、軽量で持ち運びも容易であり、全国で展開している消防隊又は消防団隊においても容易に取り扱うことが可能である。【０００６】  設置した留め金式縦穴落下防止板には、夜間でも開口部の位置が比較的容易に確認できる紅白のゼブラ模様が施されており、小型の照明器具等の照射による反射も十分期待できることから、開口部の場所を表示する標識板としても使用できる。【０００７】  平板の開口部に面する裏面には、留め金で接合した留め金式縦穴落下防止板の移動を防止するため、開口部内側に掛かる突起物が四箇所設置してあり、万が一の平板のずれを防止する細工も施しており、設置後の平板ずれ防止と併せ、一般市民又は消防職団員の防火水槽等への落下防止を図ることができる。
【特許文献】  特許          昭和６１−１１５１９７
【特許文献】  公開実用新案  昭和６３−１４５９０５
【特許文献】  公開実用新案  平２−８０１８５
【特許文献】  公開実用新案  平３−７９３９２
【特許文献】  公開実用新案  平６−７１５０３
【特許文献】  公開実用新案  平９−１２０３８
【考案の開示】
【考案が解決しようとする課題】
【０００８】  消火活動中の消防職団員又は一般住民の防火水槽等への落下による死亡又は受傷事故を未然に防止することができる。
【課題を解決するための手段】
【０００９】
【００１０】  本考案は、縦９０ｃｍ、横４５ｃｍ、厚さ１ｃｍのコの字及び反転したコの字形をした２枚の長方形の平板で、表面に、容易に視認することができる紅白のゼブラ模様を施した２枚の平板を、吸水管投入後に吸水管を挟み込むように接合し、留め金で固定することで一体的な形状を構成する。【００１１】  平板は、平均的な成人男性の体重に耐える強度を有する軽量で堅ろうな木製又はプラスチック、その他、軽量で強度がある材質で作り、２枚の平板を接合する留め金は、それぞれの平板に、オスとメスに相当する金具を設置する。【００１２】  設置した留め金式縦穴落下防止板の移動を防止するため、２枚の平板には、防火水槽等の開口部内側に掛かる突起物を計４か所設置し、接合、設置した平板のずれを防止する。
【考案の効果】
【００１３】  留め金式縦穴落下防止板を設置することで、消火活動中の消防職団員又は一般住民の防火水槽等への落下による死亡又は受傷事故を未然に防止することができる。【００１４】  留め金式縦穴落下防止板を設置することで、防火水槽等の蓋を開放した際の作業スペースの確保も図ることができる。【００１５】  留め金式縦穴落下防止板の表面には、紅白のゼブラ模様が施されていることから、開口部の場所を表示する標識板としても使用できる。
【考案の実施するための最良の形態】
【００１６】  以下、本考案の実施形態を図１に基づいて説明する。
【００１７】  図１は、留め金式縦穴落下防止板の左右の形状を平面及び立体的に示している。１は留め金式縦穴落下防止板本体で、強度のある堅ろうな木板又はプラスチック板。２の中央のコの字及び反転コの字の窪み部分は吸水管を通す部分。３は開口部の場所を表示する紅白のゼブラ模様の表示。４は２枚の平板を接合する時に使用する留め金。５は平板の裏面に設置した突起物で、設置した留め金式縦穴落下防止板本体が移動することを防止したストッパー。
【図面の簡単な説明】
【００１８】
【図１】本考案の実施形態を示す留め金式縦穴落下防止板本体を平面的に示している図面
【図２】本考案の実施形態を示す留め金式縦穴落下防止板本体を立面的に示している図面
【図３】本考案の実施形態を示す留め金式縦穴落下防止板を防火水槽等で使用した場合を立面的に示している図面
【符号の説明】
【００１９】１    留め金式吸管投入時落下防止板の本体
２    吸管を通す部分
３    紅白のゼブラ模様の表示
４    留め金
５    ストッパー（裏面）
６    留め金の結合方向
７    吸水管（投入時の状況）
８    防火水槽等マンホールの枠
９    防火水槽の中の水源
１０  吸水時の水の流れ（水中での水の流れ）
１１  防火水槽本体
【００２０】  本考案の実施形態の図１に基づき試作した留め金式縦穴落下防止板を写真で説明する。
【００２１】  写真１は留め金式縦穴落下防止板本体を接合した際の写真。
【００２２】  写真２は留め金式縦穴落下防止板を分割離脱した際の写真
【００２３】  写真３は留め金式縦穴落下防止板の裏面の写真。
【００２４】  写真４は留め金式縦穴落下防止板を地下式防火水槽で使用した際の写真。
【００２５】  写真５は留め金式縦穴落下防止板片面を地下式防火水槽で使用した際の写真。
【００２６】  写真６は留め金式縦穴落下防止板を地下式消火栓で使用した際の写真。
【図１】
0003142845.tif 000003
【図２】
0003142845.tif 000004
【図３】
0003142845.tif 000005
【手続補正書】
【提出日】平成20年3月18日(2008.3.18)
【手続補正１】
【補正対象書類名】実用新案登録請求の範囲
【補正対象項目名】全文
【補正方法】変更
【補正の内容】
【実用新案登録請求の範囲】
【請求項１】
地下式防火水槽又は地下式消火栓ボックス（以下「防火水槽等」という。）に消火活動のため投入した吸水管に、縦９０ｃｍ、横４５ｃｍ、厚さ１ｃｍのコの字及び反転したコの字形で紅白のゼブラ模様のある平板２枚を、防火水槽等の地上の投入口付近で吸水管を挟むように設置、留め金で結合することで、吸水管投入部分以外の隙間を閉鎖し、消防活動中の消防職員、消防団員（以下「消防職団員」という。）及び一般市民の防火水槽等への落下を防止することを目的とした、留め金式縦穴落下防止板。